(57)【要約】      （修正有）【課題】自己固定機能を有し、ばねを使用しないクリップおよびクリップハンガーを提供する。【解決手段】クリップは挟持板２、制御板１、および固定部材３を含む。挟持板および制御板は端部を介して接続し、固定部材の固定板に固定接続される。挟持板の上端に継ぎ手が設けられ、該継ぎ手は外端面に軸を有する。継ぎ手の上縁は三角形であり、継ぎ手の下縁に溝を有する。制御板は側縁にそれぞれ軸、突部、突起を有し、軸は制御板の側縁下端に、突部は軸上に、突起は突部の上方に位置する。固定部材は接続板を含み、接続板の両端に固定板が固定される。固定板は孔を４個有し、孔は上下２列に分かれる。上列の２個の孔の間の距離は、下列の２個の孔の間の距離より大きい。上列の２個の孔が対応する固定板の側縁は円形である。【選択図】図１
0003160852.tif 000002
【実用新案登録請求の範囲】
【請求項１】
挟持板、制御板、および固定部材を含み、挟持板および制御板が端部を介して接続し、固定部材の固定板に固定接続されるクリップであって、
前記挟持板の上端に継ぎ手が設けられ、該継ぎ手は外端面に軸を有し、継ぎ手の上縁は三角形で、継ぎ手の下縁に溝を有し、
前記制御板は側縁にそれぞれ軸、突部、突起を有し、軸は制御板の側縁下端に、突部は軸上に、突起は突部の上方に位置し、
前記固定部材は接続板を含み、該接続板の両端に固定板が固定され、該固定板は孔を４個有し、該孔は上下２列に分かれており、上列の２個の孔の間の距離は、下列の２個の孔の間の距離より大きく、上列２個の孔が対応する固定板の側縁は円形である、
ことを特徴とするクリップ。
【請求項２】
前記挟持板がその継ぎ手の下縁の溝を介して制御板側縁の突部に関節結合し、制御板側縁の突起と、固定板の上の孔が対応する円形側縁が接触して、この縁に沿って移動し、挟持板および制御板の軸はそれぞれ固定板の上下の孔に挿入接合される、ことを特徴とする請求項１に記載のクリップ。
【請求項３】
前記接続板が固定板の中間位置に固定され、固定板を２つの部分に分けて、そのうち片側の上下の孔にそれぞれ挟持板および制御板の軸を取り付け、もう片側に挟持板を設け、該挟持板および固定板が一体である、ことを特徴とする請求項１に記載のクリップ。
【請求項４】
前記突起が直角形であり、その短い直角辺が制御板の側縁に固定されることを特徴とする請求項１に記載のクリップ。
【請求項５】
前記制御板の上縁が、高低のある縁であることを特徴とする請求項１に記載のクリップ。
【請求項６】
前記固定板が、蝶の形であることを特徴とする請求項１に記載のクリップ。
【請求項７】
前記材質が、プラスチックまたは金属であることを特徴とする請求項１に記載のクリップ。
【請求項８】
ハンガー腕およびフックを含むクリップハンガーであって、前記ハンガー腕の両端にクリップを設け、該クリップが挟持板、制御板、および固定部材を含み、挟持板および制御板が端部を介して接続し、固定部材の固定板に固定接続され、
前記挟持板の上端に継ぎ手が設けられ、該継ぎ手は外端面に軸を有し、継ぎ手の上縁は三角形で、継ぎ手の下縁に溝を有し、
前記制御板は側縁にそれぞれ軸、突部、突起を有し、軸は制御板の側縁下端に、突部は軸上に、突起は突部の上方に位置し、
前記固定部材は接続板を含み、該接続板の両端に固定板が固定され、該固定板は孔を４個有し、該孔は上下２列に分かれており、上列の２個の孔の間の距離は下列の２個の孔の間の距離より大きく、上列の２個の孔が対応する固定板の側縁は円形である、
ことを特徴とするクリップハンガー。
【請求項９】
前記挟持板がその継ぎ手の下縁の溝を介して制御板側縁の突部に関節結合し、制御板側縁の突起および挟持板の継ぎ手の上縁が接触して、上縁に沿って移動し、挟持板および制御板の軸がそれぞれ固定板の上下の孔に取り付けられる、ことを特徴とする請求項８に記載のクリップハンガー。
【請求項１０】
前記材質が、プラスチックまたは金属であることを特徴とする請求項８に記載のクリップハンガー。
【考案の詳細な説明】
【技術分野】
【０００１】
本考案は、クリップおよびクリップ付きハンガーに関する。
【背景技術】
【０００２】
クリップは日常生活で常用される物を挟む道具である。その種類は多く、大きさは様々で、構造が簡単なものや、複雑なものもある。従来のクリップは一般に、挟持板およびばねからなり、クリップの上端をつまむとクリップの下端が開き、上端を緩めると、下端はばねの作用で物を挟む。出願番号第９４１０６４５７．３号の特許明細書に「プラスチック製クリップ」が公開されている。その構造は上部挟持板、下部挟持板、操作板を含む。上部挟持板の後方に支持棚、下部挟持板の後方にヒンジ、操作板に作動カムが設置される。操作板の回転操作により、上部挟持板および下部挟持板の先端部の開閉を実現する。
【０００３】
ハンガーも常用される道具である。クリップを有するものもあるが、クリップの機能のほとんどは、ばね構造または金物材料により実現している。
【０００４】
前記クリップおよびハンガーのクリップには、物をしっかりと挟めない、自己固定機能を持たないなどの不備がある。そのほか、ばねには以下の不備がある。
（１）クリップから脱落しやすい。
（２）さびやすい。
（３）ばねを装着する構造およびスペースを設ける必要がある。
（４）部品の数が増えて、組み立て工数が増える。
（５）衣料品に針が残っているかどうかを検査する検針器に反応するため、他の衣料品と同時に検針器にかけることができない。
【先行技術文献】
【特許文献】
【０００５】
【特許文献１】出願番号第９４１０６４５７．３号
【考案の概要】
【考案が解決しようとする課題】
【０００６】
本考案の目的は、クリップおよびクリップハンガーを提供することである。クリップ構造は自己固定機能を有し、これまで不可欠であったばねを使用せず、挟持板の取り付け構造において手段を講じ、既存のクリップおよびクリップハンガーに存在する不足を好適に解決した。
【課題を解決するための手段】
【０００７】
本考案におけるクリップの技術提案を実現するため、該種のクリップは挟持板、制御板および固定部材を含む。該挟持板および制御板は端部を介して接続し、固定部材の固定板に固定接続される。
【０００８】
前記挟持板の上端に継ぎ手が設けられ、該継ぎ手は外端面に軸を有する。継ぎ手の上縁は三角形であり、継ぎ手の下縁に溝を有する。
【０００９】
前記制御板は側縁にそれぞれ軸、突部、突起を有する。軸は制御板の側縁下端に、突部は軸上に、突起は突部の上方に位置する。
【００１０】
前記固定部材は接続板を含み、該接続板の両端に固定板が固定される。該固定板は孔を４個有し、該孔は上下２列に分かれる。上列の２個の孔の間の距離は、下列の２個の孔の間の距離より大きい。上列の２個の孔が対応する固定板の側縁は円形である。
【００１１】
該技術提案はさらに以下を含む。
前記挟持板はその継ぎ手の下縁の溝を介して、制御板側縁の突部に関節結合する。制御板側縁の突起と、固定板の上の孔が対応する円形側縁が接触し、この縁に沿って移動する。挟持板および制御板の軸はそれぞれ固定板の上下の孔に挿入接合される。
【００１２】
前記接続板は固定板の中間位置に固定される。固定板を２つの部分に分け、そのうち片側の上下の孔にそれぞれ挟持板および制御板の軸を取り付け、もう片側は挟持板を設ける。該挟持板および固定板は一体である。
【００１３】
前記突起は直角形であり、その短い直角辺は制御板の側縁に固定される。
【００１４】
前記制御板の上縁は高低のある縁である。
【００１５】
前記固定板は蝶の形である。
【００１６】
前記材質はプラスチックまたは金属である。
【００１７】
本考案におけるクリップハンガーの技術提案を実現するため、該種のハンガーはハンガー腕およびフックを含む。その特徴は、前記ハンガー腕の両端にクリップを設け、該クリップは挟持板、制御板および固定部材を含む。挟持板および制御板は端部を介して接続し、固定部材の固定板に固定接続される。
【００１８】
前記挟持板の上端に継ぎ手が設けられ、該継ぎ手は外端面に軸を有する。継ぎ手の上縁は三角形であり、継ぎ手の下縁に溝を有する。
【００１９】
前記制御板は側縁にそれぞれ軸、突部、突起を有する。軸は制御板の側縁下端に、突部は軸上に、突起は突部の上方に位置する。
【００２０】
前記固定部材は接続板を含み、該接続板の両端に固定板が固定される。該固定板は孔を４個有し、該孔は上下２列に分かれる。上列の２個の孔の間の距離は、下列の２個の孔の間の距離より大きい。上列の２個の孔が対応する固定板側縁は円形である。
【００２１】
前記挟持板はその継ぎ手の下縁の溝を介して、制御板側縁の突部に関節結合する。制御板側縁の突起と、固定板の上の孔が対応する円形側縁が接触して、この縁に沿って移動する。挟持板および制御板の軸はそれぞれ固定板の上下の孔に挿入接合される。
【００２２】
前記材質はプラスチックまたは金属である。
【考案の効果】
【００２３】
本考案が有する有益な効果は、簡単な構造、堅固な挟持、広い応用範囲、使いやすさ、環境保護およびリサイクル回収に有利なことである。すべてのクリップは同一の原料のみを使用している。鋼板またはばねを加えておらず、異なる原料または金物部品を取り外す必要がなく回収できる。本製品はプラスチック疲労によって弾力性を失うことはなく、てこの原理によって物を挟む。
【図面の簡単な説明】
【００２４】
【図１】図１は、本考案の全体構造の概略図である。クリップが閉じた状態を示す。
【図２】図２は、本考案の全体構造の概略図である。クリップが開いた状態を示す。
【図３】図３は、図１の制御板および挟持板の接続概略図である。
【図４】図４は、図１の制御板の概略図である。
【図５】図５は、図１の挟持板の概略図である。
【図６】図６は、図４の背面図である。
【図７】図７は、図１の固定部材の概略図である。
【図８】図８は、本考案のクリップハンガーの全体構造の概略図である。クリップが開いた状態を示す。
【図９】図９は、図１のもう１つの構造形態であり、固定部材の片側が固定板、もう片側が挟持板を示す。
【考案を実施するための形態】
【００２５】
以下に図を組み合わせ、本考案をさらに説明する。
【実施例】
【００２６】
図に示すように、本クリップは制御板１、挟持板２、固定部材３からなる。制御板１の下縁は側面に向かって２つの軸１３が伸びる。軸１３に接した上側は２個の突部１２であり、突部１２は軸１３より少し短い。突部１２の上方にさらに２個の突起（突縁でもよい）１１を有する。該突起は直角形であり、１辺は長く、１辺が短い。短い辺および制御板の縁は一緒に固定され、長い辺および制御板は１つの平面上に位置しない。制御板の上縁の片側は隆起した縁（指で力を加えやすい）１４である。挟持板２は制御板１との接続端（上端）に２個の継ぎ手２１を有し、該継ぎ手２１は側面に軸１３を有する。継ぎ手２１は下側に溝２１２を有し、上側の縁は三角形２１１である。固定部材３は接続板３２および固定板３１からなる。固定板３１は接続板３２の両端に固定され、接続板３２は固定板３１の中間位置に固定される。固定板３１は蝶の形に似ており、表面に孔３１１を４個有する。４個の孔は平行して上下２列に分かれており、上列２個の孔の間の距離は、下列２個の孔の間の距離より大きい。固定板３１の形状が蝶の形であることは、４個の孔の位置によるもので、制御板側縁の突起１１は上の孔の蝶の形の縁に沿ってスライドする。
【００２７】
組立
挟持板２の溝２１２を制御板１の突部１２に掛ける。同時に挟持板２の軸１３を固定板３１の上の孔３１１に挿入し、制御板１の軸１３を固定板３１の下の孔３１１に挿入する。軸１３は孔３１１の中で回転することができる。固定板３１に２組の挟持板２および制御板１を取り付ける。他に、１組の挟持板２および制御板１を取り付け、もう片側は１つの挟持板２（挟持板は動かない）を固定して、制御板１はなくてもよい。
【００２８】
動作原理
クリップを開く必要があるとき、制御板の隆起した縁１４を指で外側に押すと、てこの原理を利用して制御板が挟持板を押し開き、挟持板が開いた位置に固定される。クリップを閉じる必要があるとき、制御板を指で内側に押すと、制御板が挟持板を押して閉じ、挟持板が閉じた位置に固定され、物を挟む。
【００２９】
クリップハンガー
本クリップは頭髪、書類、衣服などを挟むことができる。衣服を挟むときはハンガーが必要であり、ハンガーの両端にクリップを設けるとよい。
【００３０】
本考案で使用した材料はプラスチックであるべきである。
【００３１】
本考案はクリップを保護し、同様に本クリップからなるハンガーも保護する。
【符号の説明】
【００３２】
１  制御板
２  挟持板
３  固定部材
４  ハンガー腕
５  フック
６  固定ボード
１１  突起
１２  突部
１３  軸
１４  隆起した縁
２１  継ぎ手
２２  突状歯
２１１  三角形
２１２  溝
３１  固定板
３２  接続板
３１１  孔
【図１】
0003160852.tif 000003
【図２】
0003160852.tif 000004
【図３】
0003160852.tif 000005
【図４】
0003160852.tif 000006
【図５】
0003160852.tif 000007
【図６】
0003160852.tif 000008
【図７】
0003160852.tif 000009
【図８】
0003160852.tif 000010
【図９】
0003160852.tif 000011